【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
ネットワークアプリケーションに関して実行された無線アクセス技術（ＲＡＴ）間ハンドオーバに関連して、第１のＲＡＴに関連するサービス品質（ＱｏＳ）パラメータを第２のＲＡＴに関連する対応するＱｏＳパラメータにマッピングすることと、ここにおいて、前記マッピングすることは、前記第１のＲＡＴに関連する前記ＱｏＳパラメータを前記第２のＲＡＴに関連する複数のＱｏＳパラメータにマッピングすることを備える、
少なくとも部分的に、前記第１のＲＡＴに関連する前記ＱｏＳパラメータと前記第２のＲＡＴに関連する前記対応するＱｏＳパラメータとを比較することによって、前記第２のＲＡＴが前記ネットワークアプリケーションのための十分なＱｏＳを与えるかどうかを判断することと、ここにおいて、前記判断することは、前記第２のＲＡＴに関連する前記複数のＱｏＳパラメータ中の少なくとも１つのＱｏＳパラメータが前記ネットワークアプリケーションのための十分なＱｏＳに対応するかどうかを判断することを備える、
不十分なＱｏＳを処理するための少なくとも１つのプロシージャで前記ネットワークアプリケーションの構成を識別することと、
前記識別することに応答して、前記第２のＲＡＴが前記ネットワークアプリケーションのための十分なＱｏＳを与えないと判断された場合、前記第２のＲＡＴのＱｏＳへの前記第２のＲＡＴに関する前記ネットワークアプリケーションの適応を可能にすることと
を備え、
前記可能にすることは、前記第２のＲＡＴに関連する前記複数のＱｏＳパラメータ中のＱｏＳパラメータが前記ネットワークアプリケーションのための十分なＱｏＳに対応しない場合、前記第２のＲＡＴに関する不十分なＱｏＳを前記ネットワークアプリケーションに通知することを含み、
前記不十分なＱｏＳを処理するための少なくとも１つのプロシージャは、接続をリリースすることまたは劣化したＱｏＳを継続することのうちの少なくとも１つを含む、方法。
【請求項２】
前記可能にすることは、前記ネットワークアプリケーションとは無関係に、前記第２のＲＡＴに関連する前記対応するＱｏＳパラメータの再ネゴシエーションを試みることを備える、請求項１に記載の方法。
【請求項３】
前記可能にすることは、前記第２のＲＡＴに関連する前記対応するＱｏＳパラメータの試みられた再ネゴシエーションが成功しなかったことに応答して、前記第２のＲＡＴに関する不十分なＱｏＳを前記ネットワークアプリケーションに通知することをさらに備える、請求項２に記載の方法。
【請求項４】
前記可能にすることは、
前記ネットワークアプリケーションが不十分なＱｏＳを処理するための少なくとも１つのプロシージャを有する場合、前記第２のＲＡＴに関する不十分なＱｏＳを前記ネットワークアプリケーションに通知することと、
前記ネットワークアプリケーションが不十分なＱｏＳを処理するための少なくとも１つのプロシージャを有しない場合、前記ネットワークアプリケーションとは無関係に、前記第２のＲＡＴに関連する前記対応するＱｏＳパラメータの再ネゴシエーションを試みることと
を備える、請求項１に記載の方法。
【請求項５】
少なくとも、無線アクセス技術（ＲＡＴ）間ハンドオーバに関連するソースＲＡＴとターゲットＲＡＴとによる通信を可能にするアプリケーションに関係するデータを記憶するメモリと、
第１のＲＡＴに関連する前記ＱｏＳパラメータを第２のＲＡＴに関連する複数のＱｏＳパラメータにマッピングすることを含む、前記ソースＲＡＴに関連するサービス品質（ＱｏＳ）パラメータを前記ターゲットＲＡＴに関連する対応するＱｏＳパラメータにマッピングすることと、
前記第２のＲＡＴに関連する前記複数のＱｏＳパラメータ中の少なくとも１つのＱｏＳパラメータが前記アプリケーションのための十分なＱｏＳに対応するかどうかを判断することを含む、少なくとも部分的に、前記ソースＲＡＴに関連する前記ＱｏＳパラメータと前記ターゲットＲＡＴに関連する前記対応するＱｏＳパラメータとを比較することによって、前記ターゲットＲＡＴが前記アプリケーションのための十分なＱｏＳを与えるかどうかを判断することと、
不十分なＱｏＳを処理するための少なくとも１つのプロシージャで前記アプリケーションの構成を識別することと、
前記第２のＲＡＴに関連する前記複数のＱｏＳパラメータ中のＱｏＳパラメータがネットワークアプリケーションのための十分なＱｏＳに対応しない場合、前記第２のＲＡＴに関する不十分なＱｏＳを前記アプリケーションに通知することを含む、前記識別することに応答して、前記ターゲットＲＡＴが前記アプリケーションのための十分なＱｏＳを与えないと判断された場合、前記ターゲットＲＡＴに関する前記アプリケーションの適応された動作を可能にすることと
を行うように構成されたプロセッサと
を備え、
前記不十分なＱｏＳを処理するための少なくとも１つのプロシージャは、接続をリリースすることまたは劣化したＱｏＳを継続することのうちの少なくとも１つを含む、ワイヤレス通信装置。
【請求項６】
前記プロセッサは、前記アプリケーションとは無関係に、前記ターゲットＲＡＴに関するＱｏＳ再ネゴシエーションを試みることによって、前記ターゲットＲＡＴに関する前記アプリケーションの適応された動作を可能にするようにさらに構成された、請求項５に記載のワイヤレス通信装置。
【請求項７】
少なくとも、無線アクセス技術（ＲＡＴ）間ハンドオーバに関連するソースＲＡＴとターゲットＲＡＴとによる通信を可能にするアプリケーションを識別するための手段と、
第１のＲＡＴに関連する前記ＱｏＳパラメータを第２のＲＡＴに関連する複数のＱｏＳパラメータにマッピングするための手段を含む、前記ソースＲＡＴに関連するサービス品質（ＱｏＳ）パラメータを、前記ターゲットＲＡＴに関連する少なくとも１つの対応するＱｏＳパラメータにマッピングするための手段と、
前記第２のＲＡＴに関連する前記複数のＱｏＳパラメータ中の少なくとも１つのＱｏＳパラメータが前記アプリケーションのための十分なＱｏＳに対応するかどうかを判断するための手段と、
不十分なＱｏＳを処理するための少なくとも１つのプロシージャで前記アプリケーションの構成を識別するための手段と、
識別するための前記手段に応答して実行可能な、前記ターゲットＲＡＴに関連する少なくとも１つの対応するＱｏＳパラメータが前記アプリケーションのための不十分なＱｏＳを示す場合、前記ターゲットＲＡＴに関する前記アプリケーションの動作を適応させるための手段と、
を備え、
適応させるための前記手段は、前記第２のＲＡＴに関連する前記複数のＱｏＳパラメータ中のＱｏＳパラメータが前記アプリケーションのための十分なＱｏＳに対応しない場合、前記第２のＲＡＴに関する不十分なＱｏＳをネットワークアプリケーションに通知するための手段を含み、
前記不十分なＱｏＳを処理するための少なくとも１つのプロシージャは、接続をリリースすることまたは劣化したＱｏＳを継続することのうちの少なくとも１つを含む、装置。
【請求項８】
適応させるための前記手段は、前記アプリケーションとは無関係に、前記ターゲットＲＡＴに関するＱｏＳ再ネゴシエーションを試みるための手段を備える、請求項７に記載の装置。
【請求項９】
前記プロセッサは、前記第２のＲＡＴに関連する少なくとも１つの前記対応するＱｏＳパラメータの試みられた再ネゴシエーションが成功しなかったことに応答して、前記第２のＲＡＴに関する不十分なＱｏＳを前記ネットワークアプリケーションに通知することをさらに備える、請求項６に記載のワイヤレス通信装置。
【請求項１０】
前記プロセッサはさらに、
前記ネットワークアプリケーションが不十分なＱｏＳを処理するための少なくとも１つのプロシージャを有する場合、前記第２のＲＡＴに関する不十分なＱｏＳを前記ネットワークアプリケーションに通知することと、
前記ネットワークアプリケーションが不十分なＱｏＳを処理するための少なくとも１つのプロシージャを有しない場合、前記ネットワークアプリケーションとは無関係に、前記第２のＲＡＴに関連する前記対応するＱｏＳパラメータの再ネゴシエーションを試みることと
を行うように構成される、請求項５に記載のワイヤレス通信装置。
【請求項１１】
適応させるための前記手段は、前記第２のＲＡＴに関連する前記対応するＱｏＳパラメータの試みられた再ネゴシエーションが成功しなかったことに応答して、前記第２のＲＡＴに関する不十分なＱｏＳを前記ネットワークアプリケーションに通知することを備える、請求項８に記載の装置。
【請求項１２】
適応させるための前記手段は、
前記ネットワークアプリケーションが不十分なＱｏＳを処理するための少なくとも１つのプロシージャを有する場合、前記第２のＲＡＴに関する不十分なＱｏＳを前記ネットワークアプリケーションに通知するための手段と、
前記ネットワークアプリケーションが不十分なＱｏＳを処理するための少なくとも１つのプロシージャを有しない場合、前記ネットワークアプリケーションとは無関係に、前記第２のＲＡＴに関連する前記対応するＱｏＳパラメータの再ネゴシエーションを試みることと
を備える、請求項７に記載の装置。
【手続補正２】
【補正対象書類名】明細書
【補正対象項目名】０１４１
【補正方法】変更
【補正の内容】
【０１４１】
上記の説明は１つまたは複数の態様の例を含む。もちろん、上述の態様について説明する目的で、構成要素または方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
以下に、本願出願の当初の特許請求の範囲に記載された発明を付記する。
［Ｃ１］
ネットワークアプリケーションに関して実行された無線アクセス技術（ＲＡＴ）間ハンドオーバに関連して、第１のＲＡＴに関連するサービス品質（ＱｏＳ）パラメータを第２のＲＡＴに関連する対応するＱｏＳパラメータにマッピングすることと、
少なくとも部分的に、前記第１のＲＡＴに関連する前記ＱｏＳパラメータと前記第２のＲＡＴに関連する前記ＱｏＳパラメータとを比較することによって、前記第２のＲＡＴが前記ネットワークアプリケーションのための十分なＱｏＳを与えるかどうかを判断することと、
前記第２のＲＡＴが前記ネットワークアプリケーションのための十分なＱｏＳを与えないと判断された場合、前記第２のＲＡＴのＱｏＳへの前記第２のＲＡＴに関する前記ネットワークアプリケーションの適応を可能にすることとを備える、方法。
［Ｃ２］
前記可能にすることが、前記第２のＲＡＴに関する不十分なＱｏＳを前記ネットワークアプリケーションに通知することを備える、Ｃ１に記載の方法。
［Ｃ３］
前記可能にすることが、前記ネットワークアプリケーションとは無関係に、前記第２のＲＡＴに関連する前記ＱｏＳパラメータの再ネゴシエーションを試みることを備える、Ｃ１に記載の方法。
［Ｃ４］
前記可能にすることは、前記第２のＲＡＴに関連する前記ＱｏＳパラメータの試みられた再ネゴシエーションが成功しなかったことに応答して、前記第２のＲＡＴに関する不十分なＱｏＳを前記ネットワークアプリケーションに通知することをさらに備える、Ｃ３に記載の方法。
［Ｃ５］
前記可能にすることが、
前記ネットワークアプリケーションが不十分なＱｏＳを処理するための少なくとも１つのプロシージャで構成されるかどうかを識別することと、
前記ネットワークアプリケーションが不十分なＱｏＳを処理するための少なくとも１つのプロシージャを有する場合、前記第２のＲＡＴに関する不十分なＱｏＳを前記ネットワークアプリケーションに通知することと、
前記ネットワークアプリケーションが不十分なＱｏＳを処理するための少なくとも１つのプロシージャを有しない場合、前記ネットワークアプリケーションとは無関係に、前記第２のＲＡＴに関連する前記ＱｏＳパラメータの再ネゴシエーションを試みることとを備える、Ｃ１に記載の方法。
［Ｃ６］
前記マッピングすることが、前記第１のＲＡＴに関連する前記ＱｏＳパラメータを前記第２のＲＡＴに関連する複数のＱｏＳパラメータにマッピングすることを備え、
前記判断することは、前記第２のＲＡＴに関連する前記複数のＱｏＳパラメータ中の少なくとも１つのＱｏＳパラメータが前記ネットワークアプリケーションのための十分なＱｏＳに対応するかどうかを判断することを備え、
前記可能にすることは、前記第２のＲＡＴに関連する前記複数のＱｏＳパラメータ中のＱｏＳパラメータが前記ネットワークアプリケーションのための十分なＱｏＳに対応しない場合、前記第２のＲＡＴに関する不十分なＱｏＳを前記ネットワークアプリケーションに通知することを備える、Ｃ１に記載の方法。
［Ｃ７］
少なくとも、無線アクセス技術（ＲＡＴ）間ハンドオーバに関連するソースＲＡＴとターゲットＲＡＴとによる通信を可能にするアプリケーションに関係するデータを記憶するメモリと、
前記ソースＲＡＴに関連するサービス品質（ＱｏＳ）パラメータを前記ターゲットＲＡＴに関連する対応するＱｏＳパラメータにマッピングすることと、少なくとも部分的に、前記ソースＲＡＴに関連する前記ＱｏＳパラメータと前記ターゲットＲＡＴに関連する前記ＱｏＳパラメータとを比較することによって、前記ターゲットＲＡＴが前記アプリケーションのための十分なＱｏＳを与えるかどうかを判断することと、前記ターゲットＲＡＴが前記アプリケーションのための十分なＱｏＳを与えないと判断された場合、前記ターゲットＲＡＴに関する前記アプリケーションの適応された動作を可能にすることと
を行うように構成されたプロセッサと
を備える、ワイヤレス通信装置。
［Ｃ８］
前記プロセッサが、前記ターゲットＲＡＴに関する不十分なＱｏＳを前記アプリケーションに通知すること、または前記アプリケーションとは無関係に、前記ターゲットＲＡＴに関するＱｏＳ再ネゴシエーションを試みることのうちの少なくとも１つを実行することによって、前記ターゲットＲＡＴに関する前記アプリケーションの適応された動作を可能にするようにさらに構成された、Ｃ７に記載のワイヤレス通信装置。
［Ｃ９］
少なくとも、無線アクセス技術（ＲＡＴ）間ハンドオーバに関連するソースＲＡＴとターゲットＲＡＴとによる通信を可能にするアプリケーションを識別するための手段と、
前記ソースＲＡＴに関連するサービス品質（ＱｏＳ）パラメータを、前記ターゲットＲＡＴに関連する少なくとも１つの対応するＱｏＳパラメータにマッピングするための手段と、
前記ターゲットＲＡＴに関連する少なくとも１つのＱｏＳパラメータが前記アプリケーションのための不十分なＱｏＳを示す場合、前記ターゲットＲＡＴに関する前記アプリケーションの動作を適応させるための手段と
を備える、装置。
［Ｃ１０］
適応させるための前記手段が、前記ターゲットＲＡＴに関する不十分なＱｏＳを前記アプリケーションに通知すること、または前記アプリケーションとは無関係に、前記ターゲットＲＡＴに関するＱｏＳ再ネゴシエーションを試みることのうちの少なくとも１つを実行するための手段を備える、Ｃ９に記載の装置。
［Ｃ１１］
コンピュータに、少なくとも、無線アクセス技術（ＲＡＴ）間ハンドオーバに関連するソースＲＡＴとターゲットＲＡＴとによる通信を可能にするアプリケーションを識別させるためのコードと、
コンピュータに、前記ソースＲＡＴに関連するサービス品質（ＱｏＳ）パラメータを、前記ターゲットＲＡＴに関連する少なくとも１つの対応するＱｏＳパラメータにマッピングさせるためのコードと、
コンピュータに、前記ターゲットＲＡＴに関連する少なくとも１つのＱｏＳパラメータが前記アプリケーションのための不十分なＱｏＳを示す場合、前記ターゲットＲＡＴに関する前記アプリケーションの動作を適応させるためのコードと
を備える、コンピュータ可読媒体を備える、コンピュータプログラム製品。
［Ｃ１２］
第１のネットワーク上でパケットフローのためのサービス品質（ＱｏＳ）を初期化することと、
前記初期化することに応答して、第２のネットワークへのトンネリングを介して前記第２のネットワーク上の前記パケットフローのためのＱｏＳコンテキストを確立することと、
前記第１のネットワーク上で前記パケットフローのための前記ＱｏＳの変化を監視することと、
前記第１のネットワーク上での前記パケットフローのための前記ＱｏＳのそれぞれの監視された変化に応答して、前記第２のネットワークへの前記トンネリングを介して前記第２のネットワーク上の前記パケットフローのための前記ＱｏＳコンテキストを更新することと
を備える、方法。
［Ｃ１３］
前記監視することが、前記パケットフローの終了を検出することを備え、
前記更新することが、前記第２のネットワークへの前記トンネリングを介して前記第２のネットワークに前記パケットフローの終了を示すことを備える、Ｃ１２に記載の方法。
［Ｃ１４］
前記監視することが、前記パケットフローの再確立を検出することを備え、
前記更新することが、前記第２のネットワークへの前記トンネリングを介して前記第２のネットワークに前記パケットフローの再確立を示すことを備える、Ｃ１３に記載の方法。
［Ｃ１５］
前記確立することが、
ＱｏＳトンネリングが構成される１つまたは複数のパケットフロータイプを識別することと、
前記パケットフローが、ＱｏＳトンネリングが構成される前記１つまたは複数のパケットフロータイプ内に含まれるタイプである場合、前記初期化することに応答して、前記第２のネットワークへのトンネリングを介して前記第２のネットワーク上の前記パケットフローのためのＱｏＳコンテキストを確立することと
を備える、Ｃ１２に記載の方法。
［Ｃ１６］
前記識別することが、相対的パケットフロー優先度に少なくとも部分的に基づいて、ＱｏＳトンネリングが構成される前記１つまたは複数のパケットフロータイプを識別することを備える、Ｃ１５に記載の方法。
［Ｃ１７］
パケットフローと第１のネットワークと第２のネットワークとに関係するデータを記憶するメモリと、
前記第１のネットワーク上で前記パケットフローのためのサービス品質（ＱｏＳ）を初期化することと、前記第２のネットワークへのトンネリングを介して前記第２のネットワーク上の前記パケットフローのためのＱｏＳコンテキストを確立することと、前記第１のネットワーク上で前記パケットフローのための前記ＱｏＳの変化を監視することと、前記第１のネットワーク上での前記パケットフローのための前記ＱｏＳのそれぞれの監視された変化に応答して、前記第２のネットワークへの前記トンネリングを介して前記第２のネットワーク上の前記パケットフローのための前記ＱｏＳコンテキストを更新することと
を行うように構成されたプロセッサと
を備える、ワイヤレス通信装置。
［Ｃ１８］
前記メモリは、ＱｏＳトンネリングが構成される１つまたは複数のパケットフロータイプに関係するデータをさらに記憶し、
前記プロセッサは、前記パケットフローが、ＱｏＳトンネリングが構成される前記１つまたは複数のパケットフロータイプ内に含まれるタイプである場合、前記初期化することに応答して、前記第２のネットワークへのトンネリングを介して前記第２のネットワーク上の前記パケットフローのためのＱｏＳコンテキストを確立するようにさらに構成された、Ｃ１７に記載のワイヤレス通信装置。
［Ｃ１９］
インターネットプロトコル（ＩＰ）フローと、前記ＩＰフローが利用され得る第１のネットワークおよび第２のネットワークとに関係するデータを取得するための手段と、
前記第１のネットワーク上で前記ＩＰフローのためのサービス品質（ＱｏＳ）を初期化するための手段と、
前記第１のネットワーク上での前記ＩＰフローのためのＱｏＳの初期化に応答して、前記第２のネットワークへのトンネリングを介して前記第２のネットワーク上の前記ＩＰフローのためのＱｏＳコンテキストを確立するための手段と、
前記第１のネットワーク上での前記ＩＰフローのＱｏＳのそれぞれの変化に応答して、前記第２のネットワークへのトンネリングを介して前記第２のネットワーク上の前記ＩＰフローのための前記ＱｏＳコンテキストを更新するための手段と
を備える、装置。
［Ｃ２０］
コンピュータに、インターネットプロトコル（ＩＰ）フローと、前記ＩＰフローが利用され得る第１のネットワークおよび第２のネットワークとに関係するデータを取得させるためのコードと、
コンピュータに、前記第１のネットワーク上で前記ＩＰフローのためのサービス品質（ＱｏＳ）を初期化させるためのコードと、
コンピュータに、前記第１のネットワーク上での前記ＩＰフローのためのＱｏＳの初期化に応答して、前記第２のネットワークへのトンネリングを介して前記第２のネットワーク上の前記ＩＰフローのためのＱｏＳコンテキストを確立させるためのコードと、
コンピュータに、前記第１のネットワーク上での前記ＩＰフローのＱｏＳのそれぞれの変化に応答して、前記第２のネットワークへのトンネリングを介して前記第２のネットワーク上の前記ＩＰフローのための前記ＱｏＳコンテキストを更新させるためのコードと
を備える、コンピュータ可読媒体を備える、コンピュータプログラム製品。
［Ｃ２１］
ネットワークデバイスへのトンネリングを介して第１のネットワーク上の前記ネットワークデバイスに関連するパケットフローに関係する情報を取得することと、
前記パケットフローに対応する、非アクティブ状態にある第２のネットワークのためのサービス品質（ＱｏＳ）コンテキストを初期化することと、
前記第２のネットワークへの前記ネットワークデバイスのエントリを検出することと、
前記第２のネットワークへの前記ネットワークデバイスのエントリに応答して、前記第２のネットワークのための前記ＱｏＳコンテキストをアクティブにすることと
を備える、方法。
［Ｃ２２］
前記ネットワークデバイスへの前記トンネリングを介して前記第１のネットワーク上の前記パケットフローに関係する更新されたＱｏＳ情報を受信することと、
前記更新されたＱｏＳ情報に従って、前記パケットフローに対応する前記第２のネットワークのための前記ＱｏＳコンテキストを更新することと
をさらに備える、Ｃ２１に記載の方法。
［Ｃ２３］
前記第１のネットワーク上の前記パケットフローが非アクティブであるという指示を受信することをさらに備える、Ｃ２１に記載の方法。
［Ｃ２４］
前記アクティブにすることは、前記第２のネットワークへの前記ネットワークデバイスのエントリに応答して、前記パケットフローがアクティブであるかどうかを判断することを備える、Ｃ２３に記載の方法。
［Ｃ２５］
前記パケットフローがアクティブでない場合、前記パケットフローに対応する前記第２のネットワークのための前記ＱｏＳコンテキストを廃棄することをさらに備える、Ｃ２４に記載の方法。
［Ｃ２６］
前記パケットフローがアクティブである場合、前記パケットフローに対応する前記第２のネットワークのための前記ＱｏＳコンテキストに対応する前記パケットフローのためのＱｏＳを確立することをさらに備える、Ｃ２４に記載の方法。
［Ｃ２７］
少なくとも１つのファクタに基づいて、前記第１のネットワーク上の前記パケットフローが非アクティブであるという前記指示に応答して、前記パケットフローに対応する前記第２のネットワークのための前記ＱｏＳコンテキストを廃棄することをさらに備える、Ｃ２３に記載の方法。
［Ｃ２８］
前記廃棄することは、前記第１のネットワーク上の前記パケットフローが非アクティブであるという前記指示を受信した後の所定の時間間隔の満了時に、前記パケットフローに対応する前記第２のネットワークのための前記ＱｏＳコンテキストを廃棄することを備える、Ｃ２７に記載の方法。
［Ｃ２９］
ワイヤレス通信装置であって、
ネットワークデバイスと、前記ネットワークデバイスに関連する通信ネットワークと、前記ネットワークデバイスへのトンネリングとに関係するデータを記憶するメモリと、
前記ネットワークデバイスへの前記トンネリングを介して前記ネットワークデバイスに対応するパケットフローに関係する情報を取得することと、非アクティブ状態にある前記パケットフローに対応する前記ワイヤレス通信装置に関連する通信ネットワークのためのサービス品質（ＱｏＳ）コンテキストを初期化することと、前記ワイヤレス通信装置に関連する前記通信ネットワークへの前記ネットワークデバイスのエントリを検出することと、前記ワイヤレス通信装置に関連する前記通信ネットワークへの前記ネットワークデバイスのエントリに応答して、前記通信ネットワークのための前記ＱｏＳコンテキストをアクティブにすることと
を行うように構成されたプロセッサと
を備える、ワイヤレス通信装置。
［Ｃ３０］
前記プロセッサが、前記ネットワークデバイスへの前記トンネリングを介して前記ネットワークデバイスに関連する前記通信ネットワーク上の前記パケットフローに関係する更新されたＱｏＳ情報を受信することと、前記更新されたＱｏＳ情報に従って、前記パケットフローに対応する前記ワイヤレス通信装置に関連する前記通信ネットワークのための前記ＱｏＳコンテキストを更新することとを行うようにさらに構成された、Ｃ２９に記載のワイヤレス通信装置。
［Ｃ３１］
装置であって、
ユーザ機器ユニット（ＵＥ）と、前記ＵＥへのトンネリングとを識別するための手段と、
前記ＵＥへの前記トンネリングを介して前記ＵＥに関連するネットワーク上の前記ＵＥによって利用されるインターネットプロトコル（ＩＰ）フローに関係する情報を受信するための手段と、
前記装置に関連するネットワークのための、非アクティブ状態にある前記ＩＰフローのためのサービス品質（ＱｏＳ）コンテキストを初期化するための手段と、
前記装置に関連する前記ネットワークへの前記ＵＥのエントリを検出したときに、前記ＩＰフローのための前記ＱｏＳコンテキストをアクティブにするための手段と
を備える、装置。
［Ｃ３２］
コンピュータに、ユーザ機器ユニット（ＵＥ）と、前記ＵＥへのトンネリングとを識別させるためのコードと、
コンピュータに、前記ＵＥへの前記トンネリングを介して前記ＵＥに関連するネットワーク上の前記ＵＥによって利用されるインターネットプロトコル（ＩＰ）フローに関係する情報を受信させるためのコードと、
コンピュータに、関連するネットワークのための、非アクティブ状態にある前記ＩＰフローのためのサービス品質（ＱｏＳ）コンテキストを初期化させるためのコードと、
コンピュータに、前記関連するネットワークへの前記ＵＥのエントリを検出したときに、前記ＩＰフローのための前記ＱｏＳコンテキストをアクティブにさせるためのコードと
を備える、コンピュータ可読媒体を備える、コンピュータプログラム製品。
［Ｃ３３］
ワイヤレス通信システムにおける通信を可能にするアプリケーションを識別することと、
無線アクセス技術（ＲＡＴ）に関連するネットワークへのエントリを検出することと、
前記ＲＡＴのためのサービス品質（ＱｏＳ）がユーザ主導型であるかネットワーク主導型であるかを判断することと、
前記ＲＡＴのためのＱｏＳがネットワーク主導型である場合、ネットワーク確立されたＱｏＳに従って前記アプリケーションの動作を指示することと、
前記ＲＡＴのためのＱｏＳがユーザ主導型である場合、ＱｏＳとは無関係に前記アプリケーションの動作を指示することとを備える、方法。
［Ｃ３４］
ＱｏＳがネットワーク主導型であるＲＡＴに関連する第１のネットワークへのエントリを検出することと、
前記第１のネットワークによって確立されたＱｏＳに従って前記アプリケーションのためのＱｏＳコンテキストを確立することと、
前記第１のネットワークから、ＱｏＳがユーザ主導型であるＲＡＴに関連する第２のネットワークへの移動を検出することと、
前記移動に応答して、前記アプリケーションのための前記ＱｏＳコンテキストをリリースすることと
をさらに備える、Ｃ３３に記載の方法。
［Ｃ３５］
前記アプリケーションがＱｏＳアンアウェアアプリケーションである、Ｃ３３に記載の方法。
［Ｃ３６］
ワイヤレス通信システムにおける通信を可能にするアプリケーションと、通信ネットワークと、前記通信ネットワークに関連する無線アクセス技術（ＲＡＴ）とに関係するデータを記憶するメモリと、
前記通信ネットワークへのエントリを検出することと、前記通信ネットワークに関連する前記ＲＡＴがネットワーク主導型サービス品質（ＱｏＳ）を与える場合、ネットワーク確立されたＱｏＳに従って前記アプリケーションを利用することと、前記通信ネットワークに関連する前記ＲＡＴがネットワーク主導型ＱｏＳを与えない場合、ＱｏＳとは無関係に前記アプリケーションを利用することとを行うように構成されたプロセッサとを備える、ワイヤレス通信装置。
［Ｃ３７］
ネットワークアプリケーションと、通信ネットワークと、前記通信ネットワークに関連する無線アクセス技術（ＲＡＴ）とを識別するための手段と、
前記通信ネットワークへのエントリを検出するための手段と、
前記通信ネットワークに関連する前記ＲＡＴがネットワーク主導型サービス品質（ＱｏＳ）を与える場合、ネットワーク確立されたＱｏＳに従って前記ネットワークアプリケーションを利用するための手段と、
前記通信ネットワークに関連する前記ＲＡＴがネットワーク主導型ＱｏＳを与えない場合、ＱｏＳとは無関係に前記ネットワークアプリケーションを利用するための手段とを備える、装置。
［Ｃ３８］
コンピュータに、ネットワークアプリケーションと、通信ネットワークと、前記通信ネットワークに関連する無線アクセス技術（ＲＡＴ）とを識別させるためのコードと、
コンピュータに、前記通信ネットワークへのエントリを検出させるためのコードと、
コンピュータに、前記通信ネットワークに関連する前記ＲＡＴがネットワーク主導型サービス品質（ＱｏＳ）を与える場合、ネットワーク確立されたＱｏＳに従って前記ネットワークアプリケーションを利用させるためのコードと、
コンピュータに、前記通信ネットワークに関連する前記ＲＡＴがネットワーク主導型ＱｏＳを与えない場合、ＱｏＳとは無関係に前記ネットワークアプリケーションを利用させるためのコードとを備える、コンピュータ可読媒体を備える、コンピュータプログラム製品。
［Ｃ３９］
少なくとも第１の無線アクセス技術（ＲＡＴ）と第２のＲＡＴとによる通信を可能にするアプリケーションを識別することと、
前記第１のＲＡＴから前記第２のＲＡＴへの前記アプリケーションのハンドオーバを検出することと、
前記第２のＲＡＴに関連するネットワークが前記アプリケーションのためのサービス品質（ＱｏＳ）を初期化するように構成されるかどうかを判断することと、
前記判断することに少なくとも部分的に基づいて、前記第２のＲＡＴに関する前記アプリケーションのためのＱｏＳを確立することと
を備える、方法。
［Ｃ４０］
前記判断することは、前記第２のＲＡＴに関連する前記ネットワークが前記アプリケーションのためのＱｏＳを初期化するように構成されないと判断することを備える、Ｃ３９に記載の方法。
［Ｃ４１］
前記確立することが、前記第２のＲＡＴに関する前記アプリケーションのためのＱｏＳを初期化することを備える、Ｃ４０に記載の方法。
［Ｃ４２］
前記確立することが、前記第１のＲＡＴへのトンネリングを介して前記第１のＲＡＴとのＱｏＳコンテキストを確立することを備える、Ｃ４０に記載の方法。
［Ｃ４３］
前記判断することは、前記第２のＲＡＴに関連する前記ネットワークが前記アプリケーションのためのＱｏＳを初期化するように構成されると判断することを備える、Ｃ３９に記載の方法。
［Ｃ４４］
前記アプリケーションのための必要とされるＱｏＳを識別することと、
前記第２のＲＡＴに関する前記アプリケーションのためのネットワーク主導型ＱｏＳに関係する情報を取得することと、
前記アプリケーションのための前記必要とされるＱｏＳに基づいて、前記ネットワーク主導型ＱｏＳが前記アプリケーションのために満足であるかどうかを判断することとをさらに備える、Ｃ４３に記載の方法。
［Ｃ４５］
前記ネットワーク主導型ＱｏＳが前記アプリケーションのために不満足であると判断したとき、前記アプリケーションのための不満足なＱｏＳを示すことと、
前記アプリケーションを介して、
ＱｏＳなしに前記アプリケーションの使用を続けること、
前記アプリケーションのための不満足なＱｏＳを前記アプリケーションのユーザに示すこと、
前記アプリケーションを終了すること、または
前記アプリケーションのためのＱｏＳを再要求することのうちの１つまたは複数を可能にすることと
をさらに備える、Ｃ４４に記載の方法。
［Ｃ４６］
前記確立することが、前記第１のＲＡＴへのトンネリングを介して前記第１のＲＡＴとのＱｏＳコンテキストを確立することを備える、Ｃ４３に記載の方法。
［Ｃ４７］
前記アプリケーションがＱｏＳアウェアアプリケーションである、Ｃ３９に記載の方法。
［Ｃ４８］
少なくとも第１の無線アクセス技術（ＲＡＴ）と第２のＲＡＴとによる通信を可能にするアプリケーションと、前記第１のＲＡＴから前記第２のＲＡＴへの前記アプリケーションのハンドオーバとに関係するデータを記憶するメモリと、
前記第２のＲＡＴに関連するネットワークが前記アプリケーションのためのサービス品質（ＱｏＳ）を初期化するように構成されるかどうかの判断を実行することと、前記判断に少なくとも部分的に基づいて、前記第２のＲＡＴに関する前記アプリケーションのためのＱｏＳを確立することとを行うように構成されたプロセッサとを備える、ワイヤレス通信装置。
［Ｃ４９］
第１の無線アクセス技術（ＲＡＴ）から第２のＲＡＴへのアプリケーションのハンドオーバを識別するための手段と、
前記第２のＲＡＴに関する前記アプリケーションのためのサービス品質（ＱｏＳ）がネットワーク主導型であるかユーザ主導型であるかの判断を行うための手段と、
前記判断に応答して、前記第２のＲＡＴに関する前記アプリケーションのためのＱｏＳを確立するための手段と
を備える、装置。
［Ｃ５０］
コンピュータに、第１の無線アクセス技術（ＲＡＴ）から第２のＲＡＴへのアプリケーションのハンドオーバを識別させるためのコードと、
コンピュータに、前記第２のＲＡＴに関する前記アプリケーションのためのサービス品質（ＱｏＳ）がネットワーク主導型であるかユーザ主導型であるかの判断を行わせるためのコードと、
コンピュータに、前記判断に応答して、前記第２のＲＡＴに関する前記アプリケーションのためのＱｏＳを確立させるためのコードと
を備える、コンピュータ可読媒体を備える、コンピュータプログラム製品。